(57)【要約】【課題】電池電圧低下判断に遅れが生じる可能性、及び、早期に電池寿命が到来したと誤認してしまう可能性の双方の可能性を低減することが可能な電池式警報器を提供する。【解決手段】電池２０の電力により駆動すると共に、異常状態を検出した場合に警報出力して異常状態を報知する電池式警報器１であって、所定条件成立時における疑似負荷Ｒ１，Ｒ２の接続時において電池電圧が所定値よりも低下している場合に電池電圧の低下を検知する制御手段１１と、周囲温度に応じた信号を出力する温度センサ１５とを備え、疑似負荷Ｒ１，Ｒ２は、第１の負荷抵抗Ｒ１と、第１の負荷抵抗Ｒ１よりも抵抗値が低い第２の負荷抵抗Ｒ２とを有し、制御手段１１は、所定条件成立時に、温度センサ１５による検出温度が所定温度未満であるとき、電池２０に第１の負荷抵抗Ｒ１を接続し、検出される温度が所定温度以上であるとき、電池２０に第２の負荷抵抗Ｒ２を接続する。【選択図】図１
2017049857.tif 000002
【特許請求の範囲】
【請求項１】
電池の電力により駆動すると共に、異常状態を検出した場合に警報出力して異常状態を報知する電池式警報器であって、
所定条件成立時に前記電池に対して接続される疑似負荷と、
前記疑似負荷の接続時において電池電圧が所定値よりも低下していると判断した場合に、電池電圧の低下を検知する制御手段と、
周囲温度に応じた信号を出力する温度センサと、を備え、
前記疑似負荷は、第１の負荷抵抗と、前記第１の負荷抵抗よりも抵抗値が低い第２の負荷抵抗と、を有し、
前記制御手段は、前記所定条件成立時に、前記温度センサからの信号に基づいて検出される温度が所定温度未満であるときに、前記電池に対して前記第１の負荷抵抗を接続し、前記温度センサからの信号に基づいて検出される温度が所定温度以上であるときに、前記電池に対して前記第２の負荷抵抗を接続する
ことを特徴とする電池式警報器。
【請求項２】
前記制御手段は、前記所定条件成立時に、前記温度センサからの信号に基づいて検出される温度が所定温度よりも低い規定温度以下である場合、前記電池に対して前記第１の負荷抵抗及び第２の負荷抵抗の双方を接続しない
ことを特徴とする請求項１に記載の電池式警報器。
【請求項３】
前記制御手段は、前記所定条件成立時に、前記第１の負荷抵抗又は前記第２の負荷抵抗を接続してから、所定時間が経過するまでは電池電圧が所定値よりも低下しているか否かの判断を禁止する
ことを特徴とする請求項１又は請求項２のいずれかに記載の電池式警報器。
【発明の詳細な説明】
【技術分野】
【０００１】
本発明は、電池式警報器に関する。
【背景技術】
【０００２】
従来、電池式警報器においては、負荷の駆動時において電池電圧が所定値を確保できるかを判断するためにダミー抵抗が疑似負荷として接続されることがある。ダミー抵抗（疑似負荷）を接続すると、電池電圧が低下するため、負荷の駆動時における電池電圧を検出することができるうえに、ＬＥＤ点灯や音声出力を行う必要が無く使用者に違和感を与えることも防止できる（例えば特許文献１参照）。
【先行技術文献】
【特許文献】
【０００３】
【特許文献１】特開２０１４−１３９８２８号公報
【発明の概要】
【発明が解決しようとする課題】
【０００４】
ここで、電池の特性として同じ抵抗値の負荷を接続した場合であっても、低温時の方が高温時よりも電池電圧が低下し易い傾向にある。このため、特許文献１に記載のような電池式警報器においては、低温時に電圧低下量が適切となるように疑似負荷の抵抗値を設定することが多く、高温時には電圧低下量が小さくなってしまう。よって、高温時には電池電圧が所定値を確保できない状態であるにも拘わらず確保できると誤認してしまい、電池電圧が所定値を確保できないことの判断（電池電圧低下判断）に遅れが生じる可能性があった。
【０００５】
そこで、高温時に電圧低下量が適切となるように疑似負荷の抵抗値を設定すると、低温時には電圧低下量が過大となってしまい、早期に電池寿命が到来したと誤認してしまう可能性がある。
【０００６】
本発明はこのような従来の課題を解決するためになされたものであり、その発明の目的とするところは、電池電圧低下判断に遅れが生じる可能性、及び、早期に電池寿命が到来したと誤認してしまう可能性の双方の可能性を低減することが可能な電池式警報器を提供することにある。
【課題を解決するための手段】
【０００７】
本発明の電池式警報器は、電池の電力により駆動すると共に、異常状態を検出した場合に警報出力して異常状態を報知する電池式警報器であって、所定条件成立時に前記電池に対して接続される疑似負荷と、前記疑似負荷の接続時において電池電圧が所定値よりも低下していると判断した場合に、電池電圧の低下を検知する制御手段と、周囲温度に応じた信号を出力する温度センサと、を備え、前記疑似負荷は、第１の負荷抵抗と、前記第１の負荷抵抗よりも抵抗値が低い第２の負荷抵抗と、を有し、前記制御手段は、前記所定条件成立時に、前記温度センサからの信号に基づいて検出される温度が所定温度未満であるときに、前記電池に対して前記第１の負荷抵抗を接続し、前記温度センサからの信号に基づいて検出される温度が所定温度以上であるときに、前記電池に対して前記第２の負荷抵抗を接続することを特徴とする。
【０００８】
この電池式警報器によれば、検出される温度が所定温度未満であるときに、電池に対して第１の負荷抵抗を接続し、検出される温度が所定温度以上であるときに、電池に対して第１の負荷抵抗よりも抵抗値が低い第２の負荷抵抗を接続する。このため、温度が所定温度未満であるときには電圧低下量が小さい負荷抵抗を接続することとなり、温度が所定温度以上であるときには電圧低下量が大きい負荷抵抗を接続することとなる。これにより、低温時を基準とした負荷抵抗により電池電圧低下判断に遅れが生じる可能性を低減できると共に、高温時を基準とした負荷抵抗により早期に電池寿命が到来したと誤認してしまう可能性を低減することができる。従って、電池電圧低下判断に遅れが生じる可能性、及び、早期に電池寿命が到来したと誤認してしまう可能性の双方の可能性を低減することができる。
【０００９】
また、本発明の電池式警報器において、前記制御手段は、前記所定条件成立時に、前記温度センサからの信号に基づいて検出される温度が所定温度よりも低い規定温度以下である場合、電池に対して前記第１の負荷抵抗及び第２の負荷抵抗の双方を接続しないことが好ましい。
【００１０】
この警報器によれば、検出される温度が所定温度よりも低い規定温度以下である場合、電池に対して前記第１の負荷抵抗及び第２の負荷抵抗の双方を接続しない。このため、温度が過度に低く第１の負荷抵抗及び第２の負荷抵抗のいずれを接続しても電圧低下量が適切とならず過大となってしまう場合には、上記双方を接続せず、早期に電池寿命が到来したと誤認してしまう可能性を一層低減することができる。
【００１１】
また、本発明の電池式警報器において、前記制御手段は、前記所定条件成立時に、前記第１の負荷抵抗又は前記第２の負荷抵抗を接続してから、所定時間が経過するまでは電池電圧が所定値よりも低下しているか否かの判断を禁止することが好ましい。
【００１２】
この電池式警報器によれば、第１の負荷抵抗又は前記第２の負荷抵抗を接続してから、所定時間が経過するまでは電池電圧が所定値よりも低下しているか否かの判断を禁止するため、負荷抵抗が接続されて電池電圧が安定するまでは判断が行われることなく、不安定な電圧値に基づいて誤った判断がされてしまう可能性を低減することができる。
【発明の効果】
【００１３】
本発明によれば、電池電圧低下判断に遅れが生じる可能性、及び、早期に電池寿命が到来したと誤認してしまう可能性の双方の可能性を低減することが可能な電池式警報器を提供することができる。
【図面の簡単な説明】
【００１４】
【図１】本発明の実施形態に係る電池式警報器を示す構成図である。
【図２】電池電圧入力回路の内部回路を示す構成図であり、（ａ）は第１回路を示し、（ｂ）は第２回路を示し、（ｃ）は電圧検出回路を示している。
【図３】本実施形態に係る電池式ガス警報器の動作を示すフローチャートである。
【図４】電池電圧の検出の様子を示すタイミングチャートである。
【発明を実施するための形態】
【００１５】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１６】
図１は、本発明の実施形態に係る電池式警報器を示す構成図である。なお、以下では電池式ガス警報器を電池式警報器の一例として説明するが、電池式警報器は電池式ガス警報器に限らず、電池式の火災、ＣＯ、人感などの他の警報器であってもよいし、２以上警報器の機能を組み合わせた電池式警報器であってもよい。
【００１７】
同図に示すように、電池式ガス警報器１は、電池２０の電力により駆動すると共に、検知対象となるガスの濃度が所定濃度以上であること（異常状態の１つ）を検出した場合に警報出力して、ガスの濃度が所定濃度以上であることを報知するものであって、ガスセンサ１０と、ＣＰＵ（制御手段）１１と、音声出力部１２と、表示部１３とを備えている。音声出力部１２は例えばスピーカであって、表示部１３は例えばＬＥＤや液晶ディスプレイである。
【００１８】
ガスセンサ１０は、周囲の検知対象となるガスの濃度に応じた信号を出力するものである。このガスセンサ１０は、半導体式、接触燃焼式等のセンサにより構成されている。ＣＰＵ１１は、警報器１の全体を制御するものであって、判断部１１ａと記憶部１１ｂとを備えている。記憶部１１ｂは、各種の閾値等や電圧低下判断プログラム等を記憶する記録媒体である。
【００１９】
判断部１１ａは、ガスセンサ１０からの信号に基づいて検知対象となるガスの濃度が所定濃度以上であるかを判断するものであり、所定濃度以上であると判断した場合に音声出力部１２及び表示部１３を制御して警報出力させるものである。
【００２０】
さらに、電池式ガス警報器１は、電池電圧入力回路１４を備えている。電池電圧入力回路１４は、後述する疑似負荷（図２に示す負荷抵抗Ｒ１，Ｒ２）及び後述する電圧検出回路（図２に示す符号１４ｃ）を含むものである。疑似負荷は通常時において電池２０に対して接続されておらず、所定条件成立時にＣＰＵ１１により電池２０に対して接続されるものである。ここで、所定条件とは、例えば電池式ガス警報器１の電源が投入されること、又は前回タイミングから特定時間（例えば２５時間）経過したことなどである。
【００２１】
また、ＣＰＵ１１は、所定条件成立時に電池２０に疑似負荷が接続されると、電圧検出回路により検出される電圧信号を入力する。ここで入力される電圧信号に基づき、上記の判断部１１ａは、電池電圧が所定値（例えば２．６Ｖ）よりも低下しているかを判断する。ＣＰＵ１１は、判断部１１ａにより電池電圧が所定値よりも低下していると判断された場合、電池電圧の低下を検知して、音声出力部１２及び表示部１３の少なくとも一方に電池電圧が低下している旨の警告を出力させる。
【００２２】
このような電池式ガス警報器１においては、低温時に電圧低下量が適切となるように疑似負荷の抵抗値を設定していることが多く、高温時には電圧低下量が小さくなってしまう。よって、電池電圧が所定値を確保できない状態であるにも拘わらず確保できると誤認してしまい、電池電圧低下判断に遅れが生じる可能性があった。一方、高温時に電圧低下量が適切となるように疑似負荷の抵抗値を設定すると、低温時には電圧低下量が過大となってしまい、早期に電池寿命が到来したと誤認してしまう可能性があった。
【００２３】
そこで、本実施形態においては、図１に示すように、温度センサ１５を備えると共に、電池電圧入力回路１４内に、疑似負荷として第１の負荷抵抗Ｒ１と、第１の負荷抵抗Ｒ１よりも抵抗値が低い（すなわち重負荷となる）第２の負荷抵抗Ｒ２を備えている。
【００２４】
温度センサ１５は、周囲温度に応じた信号を出力するものであって、例えばサーミスタによって構成されている。
【００２５】
図２は、電池電圧入力回路１４の内部回路を示す構成図であり、（ａ）は第１回路を示し、（ｂ）は第２回路を示し、（ｃ）は電圧検出回路を示している。なお、図２においては各種抵抗やコンデンサ等の一部省略して図示している。
【００２６】
図２（ａ）に示すように、第１回路１４ａは、ＰＮＰトランジスタＱ１と、第１の負荷抵抗Ｒ１とを備えている。ＰＮＰトランジスタＱ１はエミッタが電池２０に接続されており、コレクタが第１の負荷抵抗Ｒ１の一端に接続されている。第１の負荷抵抗Ｒ１の他端はグランド接続されている。また、ＰＮＰトランジスタＱ１は、ベースがＣＰＵ１１側に接続されており、ＣＰＵ１１からの制御信号が入力される。ＰＮＰトランジスタＱ１は、ＣＰＵ１１からの制御信号が入力されることにより導通状態となり、電池２０と第１の負荷抵抗Ｒ１とが接続されることとなる。なお、第１の負荷抵抗Ｒ１は、例えば１１Ωである。
【００２７】
また、図２（ｂ）に示すように、第２回路１４ｂは、ＰＮＰトランジスタＱ２と、第２の負荷抵抗Ｒ２とを備えている。ＰＮＰトランジスタＱ２はエミッタが電池２０に接続されており、コレクタが第２の負荷抵抗Ｒ２に接続されている。第２の負荷抵抗Ｒ２の他端はグランド接続されている。また、ＰＮＰトランジスタＱ２は、ベースがＣＰＵ１１側に接続されており、ＣＰＵ１１からの制御信号が入力される。ＰＮＰトランジスタＱ２は、ＣＰＵ１１からの制御信号が入力されることにより導通状態となり、電池２０と第２の負荷抵抗Ｒ２とが接続されることとなる。なお、第２の負荷抵抗Ｒ２は、例えば６．２Ωである。
【００２８】
図２（ｃ）に示すように、電圧検出回路１４ｃは、ＰＮＰトランジスタＱ３と、２つの抵抗Ｒ３，Ｒ４とを備えている。ＰＮＰトランジスタＱ３はエミッタが電池２０に接続されており、コレクタが抵抗Ｒ３の一端に接続されている。抵抗Ｒ３の他端は抵抗Ｒ４の一端に接続され、抵抗Ｒ４の他端はグランド接続されている。また、ＰＮＰトランジスタＱ３は、ベースがＣＰＵ１１側に接続されており、ＣＰＵ１１からの制御信号が入力される。ＰＮＰトランジスタＱ３は、ＣＰＵ１１からの制御信号が入力されることにより導通状態となり、電池２０と２つの抵抗Ｒ３，Ｒ４とが接続されることとなる。加えて、ＣＰＵ１１は、２つの抵抗Ｒ３，Ｒ４との接続点Ｃにおける電圧を検出可能に接続されている。
【００２９】
再度、図１を参照する。加えて、ＣＰＵ１１は接続部１１ｃを備えている。接続部１１ｃは、所定条件成立時に電池２０と疑似負荷とを接続するものである。特に、本実施形態において接続部１１ｃは、温度センサ１５からの信号に基づいて検出される温度が所定温度（例えば１０℃）未満であるかを判断するものであり、検出される温度が所定温度未満である場合に電池２０に対して第１の負荷抵抗Ｒ１を接続し、所定温度未満でない場合に電池２０に対して第２の負荷抵抗Ｒ２を接続するものである。
【００３０】
これにより、温度が所定温度未満であるときには電圧低下量が小さい負荷抵抗Ｒ１を接続することとなり、温度が所定温度以上であるときには電圧低下量が大きい負荷抵抗Ｒ２を接続することとなる。これにより、低温時を基準とした疑似負荷により電池電圧低下判断に遅れが生じる可能性を低減できると共に、高温時を基準とした疑似負荷により早期に電池寿命が到来したと誤認してしまう可能性を低減することができる。
【００３１】
図３は、本実施形態に係る電池式ガス警報器１の動作を示すフローチャートである。なお、図３に示す処理は電池式ガス警報器１の電源がオフされるまで、繰り返し実行される。
【００３２】
図３に示すように、本実施形態に係る電池式ガス警報器１において、ＣＰＵ１１は、所定条件が成立したかを判断する（Ｓ１）。所定条件は、例えば電池式ガス警報器１の電源投入、又は前回タイミングからの特定時間経過などである。
【００３３】
所定条件が成立していないと判断した場合（Ｓ１：ＮＯ）、所定条件が成立したと判断されるまで、この処理が繰り返される。一方、所定条件が成立したと判断した場合（Ｓ１：ＹＥＳ）、ＣＰＵ１１は、温度センサ１５からの信号を入力して周囲温度を検出する（Ｓ２）。
【００３４】
次に、ＣＰＵ１１の接続部１１ｃは、ステップＳ２にて検出された温度が所定温度（例えば１０℃）未満であるかを判断する（Ｓ３）。所定温度未満であると判断した場合（Ｓ３：ＹＥＳ）、接続部１１ｃは、ステップＳ２にて検出された温度が所定温度よりも低い規定温度（例えば−５℃又は−１５℃）以下であるかを判断する（Ｓ４）。
【００３５】
規定温度以下でないと判断した場合（Ｓ４：ＮＯ）、接続部１１ｃは第１の負荷抵抗Ｒ１を電池２０に接続する（Ｓ５）。このとき、接続部１１ｃは、第１回路１４ａのＰＮＰトランジスタＱ１に制御信号を送信してＰＮＰトランジスタＱ１を導通状態とする。これにより、低温時に電圧降下量が小さい擬似負荷を接続することとなり、電圧降下量を適切とすることができる。
【００３６】
その後、判断部１１ａは、電池電圧低下判断を行う（Ｓ６）。このとき、判断部１１ａは、電圧検出回路１４ｃのＰＮＰトランジスタＱ３に制御信号を送信してＰＮＰトランジスタＱ３を導通状態とする。そして、抵抗Ｒ３と抵抗Ｒ４との分圧を検出する。これにより、判断部１１ａは、電池電圧が所定値を確保できるのかを判断する。そして、図３に示す処理は終了する。
【００３７】
なお、ステップＳ６の処理において電池電圧が所定値よりも低下していると判断された場合、ステップＳ１の所定条件が変更される。具体的に所定条件である前回タイミングから特定時間経過という条件が、特定時間よりも短い第２特定時間（例えば１時間）の経過という条件に変更される。その後、１回又は複数回連続して所定条件成立時に、電池電圧が所定値よりも低下していると判断された場合、電池電圧が低下したと判断する。すなわち、電池寿命が到来したと最終的な判断をする。
【００３８】
また、ステップＳ３において所定温度未満でないと判断した場合（Ｓ３：ＮＯ）、接続部１１ｃは第２の負荷抵抗Ｒ２を電池２０に接続する（Ｓ７）。このとき、接続部１１ｃは、第２回路１４ｂのＰＮＰトランジスタＱ２に制御信号を送信してＰＮＰトランジスタＱ２を導通状態とする。これにより、高温時に電圧降下量が大きい擬似負荷を接続することとなり、電圧降下量を適切とすることができる。
【００３９】
その後、判断部１１ａは、電池電圧低下判断を行う（Ｓ６）。ステップＳ６における処理の詳細は上記の通りである。そして、電池電圧低下判断後（Ｓ６の後）、図３に示す処理は終了する。
【００４０】
ところで、ステップＳ４において規定温度以下であると判断した場合（Ｓ４：ＹＥＳ）、電池２０に対して第１の負荷抵抗Ｒ１及び第２の負荷抵抗Ｒ２の双方が接続せず、電池電圧低下判断を実行しない。そして、図３に示す処理は終了する。これにより、温度が過度に低く第１及び第２の負荷抵抗Ｒ１，Ｒ２のいずれを接続しても電池電圧低下量が過大となってしまう場合には、上記双方を接続せず、早期に電池寿命が到来したと誤認してしまう可能性を低減するようにしている。
【００４１】
図４は、電池電圧の検出の様子を示すタイミングチャートである。本実施形態に係る電池式ガス警報器１は、検出される温度が規定温度以下とならない限り、所定条件成立時に第１及び第２の負荷抵抗Ｒ１，Ｒ２のいずれか一方を電池２０に接続する。
【００４２】
図４に示すように、いずれか一方の負荷抵抗Ｒ１，Ｒ２の接続時点を時刻ｔ１とする。なお、負荷抵抗Ｒ１，Ｒ２は規定時間（例えば３１ｍｓ）継続して接続状態とされる。そして、時刻ｔ１から規定時間経過した時刻ｔ２において負荷抵抗Ｒ１，Ｒ２の接続状態が解除される。
【００４３】
ＣＰＵ１１の判断部１１ａは、時刻ｔ１から時刻ｔ２までの負荷抵抗Ｒ１，Ｒ２の接続期間（規定時間中）において、電圧を検出する。このとき、判断部１１ａは、時刻ｔ１から所定時間（例えば２５ｍｓ）が経過するまで電圧を検出しない。このため、判断部１１ａは所定時間が経過するまで、電池電圧が所定値よりも低下しているか否かの判断を禁止することとなる。
【００４４】
そして、判断部１１ａは、時刻ｔ１から所定時間が経過した後に電圧を検出する。このとき、判断部１１ａは、１ｍｓ毎のサンプリングタイミングで、６回電圧を検出する。そして、判断部１１ａは、６回のうち最大値と最小値とを除く４回分の平均値を検出電圧として採用する。
【００４５】
このようにして、本実施形態に係る電池式ガス警報器１によれば、検出される温度が所定温度未満であるときに、電池２０に対して第１の負荷抵抗Ｒ１を接続し、検出される温度が所定温度以上であるときに、電池２０に対して第１の負荷抵抗Ｒ１よりも抵抗値が低い第２の負荷抵抗Ｒ２を接続する。このため、温度が所定温度未満であるときには電圧低下量が小さい負荷抵抗Ｒ１を接続することとなり、温度が所定温度以上であるときには電圧低下量が大きい負荷抵抗Ｒ２を接続することとなる。これにより、低温時を基準とした負荷抵抗により電池電圧低下判断に遅れが生じる可能性を低減できると共に、高温時を基準とした負荷抵抗により早期に電池寿命が到来したと誤認してしまう可能性を低減することができる。従って、電池電圧低下判断に遅れが生じる可能性、及び、早期に電池寿命が到来したと誤認してしまう可能性の双方の可能性を低減することができる。
【００４６】
また、検出される温度が所定温度よりも低い規定温度以下である場合、電池２０に対して第１の負荷抵抗Ｒ１及び第２の負荷抵抗Ｒ２の双方を接続しない。このため、温度が過度に低く第１の負荷抵抗Ｒ１及び第２の負荷抵抗Ｒ２のいずれを接続しても電圧低下量が適切とならず過大となってしまう場合には、上記双方を接続せず、早期に電池寿命が到来したと誤認してしまう可能性を一層低減することができる。
【００４７】
また、第１の負荷抵抗Ｒ１又は第２の負荷抵抗Ｒ２を接続してから、所定時間が経過するまでは電池電圧が所定値よりも低下しているか否かの判断を禁止するため、負荷抵抗Ｒ１，Ｒ２が接続されて電池電圧が安定するまでは判断が行われることなく、不安定な電圧値に基づいて誤った判断がされてしまう可能性を低減することができる。
【００４８】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００４９】
例えば、上記実施形態においては負荷抵抗Ｒ１，Ｒ２を２つ備えているが、これに限らず、３つ以上を備え、３つの負荷抵抗を選択的に接続する構成であってもよい。また、負荷抵抗Ｒ１，Ｒ２は、それぞれ１つの抵抗に限らず、２つ以上の抵抗等により構成されてもよい。
【００５０】
また、所定条件は、上記したものに限らず、例えば電池式ガス警報器１に設けられる点検スイッチが操作されることであってもよいし、他の内容であってもよい。
【００５１】
さらに、本実施形態において電池式ガス警報器１は電池電圧が所定値よりも低下しているかを判断するが、この所定値は特に２．６Ｖに限らず他の電圧値であってもよいし、可変の値であってもよい。
【符号の説明】
【００５２】
１      ：電池式ガス警報器
１０    ：ガスセンサ
１１    ：ＣＰＵ(制御手段)
１１ａ  ：判断部
１１ｂ  ：記憶部
１１ｃ  ：接続部
１２    ：音声出力部
１３    ：表示部
１４    ：電池電圧入力回路
１４ａ  ：第１回路
１４ｂ  ：第２回路
１４ｃ  ：電圧検出回路
１５    ：温度センサ
２０    ：電池
Ｒ１    ：第１の負荷抵抗（疑似負荷）
Ｒ２    ：第２の負荷抵抗（疑似負荷）
【図１】
2017049857.tif 000003
【図２】
2017049857.tif 000004
【図３】
2017049857.tif 000005
【図４】
2017049857.tif 000006